(57)【要約】【課題】家具類及び運搬用台車等において、１度の遠隔操作で全ての制動部材を簡単かつ容易にほぼ同時に制動又は解除することが可能な制動・解除操作装置を提供する。【解決手段】第１被操作部２０の第１出力側ワイヤー２１のアウター端部２１ａは、分岐盤４０の枠体４１に固定され、第２被操作部３０の第２出力側ワイヤー３１のアウター端部３１ａは、分岐盤４０の枠体４１に固定されると共に、操作部１０である入力側ワイヤー１１のアウター端部１１ａは、分岐盤４０における枠体４１内を摺動可能としたジョイントピース５０に固定又は当接され、かつ第１出力側ワイヤー２１のインナー２２は、ジョイントピース５０で入力側ワイヤー１１のアウター１３と連動可能に係止され、入力側ワイヤー１１のインナー１２は第２出力側ワイヤー３１とで共有されている。【選択図】図１
2014077462.tif 000002
【特許請求の範囲】
【請求項１】
ワイヤーを用いて家具類及び運搬用台車等の制動・解除を行う制動・解除操作装置であって、
１の操作部と複数の被操作部間に配置された分岐盤からなり、被操作部である第１出力側ワイヤーのアウター端部を前記分岐盤の枠体に固定し、第２出力側ワイヤーのアウター端部を、前記分岐盤の枠体に固定すると共に、前記操作部である入力側ワイヤーのアウター端部を、前記分岐盤における枠体内を摺動可能としたジョイントピースに固定又は当接させ、かつ前記第１出力側ワイヤーのインナーは、前記ジョイントピースで前記入力側ワイヤーのアウターと連動可能に係止してなり、前記入力側ワイヤーのインナーは前記第２出力側ワイヤーとで共有されていることを特徴とする制動・解除操作装置。
【請求項２】
前記第２出力側ワイヤーの配設方向は、前記分岐盤から見て前記入力側ワイヤーの配設方向と同じであり、かつ前記第１出力側ワイヤーの配設方向は、前記分岐盤から見て前記入力側ワイヤーと反対方向に配設されていることを特徴とする請求項１に記載の制動・解除操作装置。
【請求項３】
前記第１出力側ワイヤーと前記第２出力側ワイヤーは前記分岐盤内の前記ジョイントピースを介して分岐されていることを特徴とする請求項１又は請求項２の何れかに記載の制動・解除操作装置。
【発明の詳細な説明】
【技術分野】
【０００１】
本発明は、ワイヤーを用いた制動・解除操作装置に係り、より詳しくは、移動可能な家具類、例えば、オーバーベッドテーブル、サイドテーブル等の家具類又は／及び運搬用台車等において、移動手段である少なくとも２以上のキャスターや規制手段を１度の遠隔操作で、装着されている全ての制動部材を制動又は解除することが可能な制動・解除操作装置に関する。
【背景技術】
【０００２】
従来、オーバーベッドテーブル、サイドテーブル等の各種テーブルや床頭台、さらには各種家具類はその底部にキャスターを設けて移動可能にしており、これらのキャスターは固定時には移動を阻止するように、キャスター自体にストッパー機構或いはロック機構を設けている。２以上のキャスター類を遠隔操作してほぼ同時に制動・解除を操作する場合には、通常、特許文献１（第８頁、図１４参照）にあるようなワイヤーの操作系統を分岐させる手段を採用している。しかし、特許文献１によれば、以下のような問題点が生じる。その（１）は、分岐手段（分岐盤）は、ワイヤーの配索経路上に配置されるため、出力側ワイヤーの出力方向は、被操作側方向に限定される。その（２）は、分岐手段の位置を一方の被操作側よりに設定しなければならない場合、他方の被操作側への出力側ワイヤーはわん曲させて配索しなければならず、その結果、操作抵抗が増大し、操作ハンドル等の操作力が重くなる。その（３）は、特に操作手段であるワイヤーが、外観上の理由等から機体の構造物（パイプ状、多角形、異形状の中空部材）の内部空間内に配索される場合、ワイヤーや分岐手段の収納スペースが制約され、（１）、（２）の問題点が顕著となる。その（４）は、ワイヤーの分岐手段として、リンク機構を用いてワイヤーの方向を反転させることは可能であるが、構造が複雑になるという欠点がある。
【先行技術文献】
【特許文献】
【０００３】
【特許文献１】特開２０１１−６５０９６号公報
【発明の概要】
【発明が解決しようとする課題】
【０００４】
本願発明は、上記のような従来技術が有する各種の問題点や不具合に鑑み、鋭意検討を重ねて創案されたものであり、
第１課題は、家具類及び運搬用台車等において、１度の遠隔操作で全ての制動部材を簡単かつ容易にほぼ同時に制動又は解除することが可能な制動・解除操作装置を提供することにある。
第２課題は、機体の外観を損なうことなく、かつ操作に適した位置に構成部材を配設可能な制動・解除操作装置を提供することにある。
第３の課題は、部品点数を少なく、構造簡単で、操作性が良好な制動・解除操作装置を提供することにある。
【課題を解決するための手段】
【０００５】
本願の特許請求の範囲、明細書及び要約書に記載の用語についての解釈上の疑義を解消すべく、以下、本願特許請求の範囲、明細書及び要約書に記載する用語の説明を行うこととする。
＜用語の説明＞
●「家具類」とは、接地部材に少なくとも２以上からなるキャスター等の回転  体を装着し、人力で床面上を移動可能な家具類をいう。例えば、オーバーベ  ッドテーブル、サイドテーブル、会議用テーブル、床頭台、いす、ベッド、  掲示板、間仕切り、プレゼンテーションユニット等を含む。
●「運搬用台車」とは、２以上のキャスター等を装着し、荷台に荷物を積載し  て手押しで目的地に搬送する台車全般をいう。例えば、ワゴン、ピッキング  カート、配膳車、ナーシングカート等を含む。
●「分岐盤」とは、操作系統を２系統以上分岐する部材である。
●「ジョイントピース」とは、インナー端部を係止し、入力側ワイヤーのアウターと第１出力側ワイヤーの端部を係止又は当接すると共に、分岐手段の枠内を摺動する部材をいう。
【０００６】
課題を解決するための手段（第１発明〜第３発明）は、本願、特許請求の範囲の各請求項に記載の考案であり、具体的には、第１発明は、請求項１に記載の発明であり、第２発明は、請求項２に記載の発明であり、第３発明は、請求項３に記載の発明である。具体的な課題を解決するための手段は、以下の通りである。
【０００７】
請求項１に記載の発明は、ワイヤーを用いて家具類及び運搬用台車等の制動・解除を行う制動・解除操作装置であって、１の操作部と複数の被操作部間に配置された分岐盤からなり、被操作部である第１出力側ワイヤーのアウター端部を前記分岐盤の枠体に固定し、第２出力側ワイヤーのアウター端部を、前記分岐盤の枠体に固定すると共に、前記操作部である入力側ワイヤーのアウター端部を、前記分岐盤における枠体内を摺動可能としたジョイントピースに固定又は当接させ、かつ前記第１出力側ワイヤーのインナーは、前記ジョイントピースで前記入力側ワイヤーのアウターと連動可能に係止してなり、前記入力側ワイヤーのインナーは前記第２出力側ワイヤーとで共有されていることを特徴としている。
【０００８】
請求項２に記載の発明は、請求項１に記載の制動・解除操作装置において、前記第２出力側ワイヤーの配設方向は、前記分岐盤から見て前記入力側ワイヤーの配設方向と同じであり、かつ前記第１出力側ワイヤーの配設方向は、前記分岐盤から見て前記入力側ワイヤーと反対方向に配設されていることを特徴としている。
【０００９】
請求項３に記載の発明は、請求項１又は請求項２の何れかに記載の制動・解除操作装置において、前記第１出力側ワイヤーと前記第２出力側ワイヤーは前記分岐盤内の前記ジョイントピースを介して分岐されていることを特徴としている。
【発明の効果】
【００１０】
請求項１〜請求項３の制動・解除操作装置によれば、その特徴的構成要件により、家具類及び運搬用台車等において、１度の遠隔操作で全ての制動部材を簡単かつ容易にほぼ同時に制動又は解除することが可能な制動・解除操作装置の提供という第１課題、機体の外観を損なうことなく、かつ操作に適した位置に構成部材を配設可能な制動・解除操作装置の提供という第２課題及び部品点数を少なく、構造簡単で、操作性が良好な制動・解除操作装置の提供という第３の課題を解決することができた。
【図面の簡単な説明】
【００１１】
【図１】（イ）は、本願発明の制動・解除操作装置をサイドテーブルに取り付けた状態を示す一部切欠した斜視図、（ロ）は、同要部の構成を示す拡大斜視図である。
【図２】同制動・解除操作装置を説明するための平面図で、（イ）は、分岐盤の蓋体を外した状態におけるワイヤーの配索状態を示し、（ロ）、は操作部を作動したときの第１被操作部の動作を説明する平面図、（ハ）、は同じく第２被操作部の動作を説明する平面図である。
【発明を実施するための形態】
【００１２】
以下、図面を参照して本願発明の制動・解除操作装置を説明する。図１（イ）は、本願発明の制動・解除操作装置１００をサイドテーブルTに取り付けた状態を示すものである。サイドテーブルTは、天板T１、支柱部T２及びH字状でそのうちの平行な二本の枠体T３、T４と、これらを連結する連結枠体T５とから構成されている。操作部１０は天板T１の側部に取り付けられ、該操作部１０と第１被操作部２０及び第２被操作部３０間に配置される分岐盤４０は、連結枠体T５のほぼ中間に配置される。Ｃ１、Ｃ２、Ｃ３及びＣ４は、キャスターである。図１（ロ）において、１１は入力側ワイヤー、２１は第１出力側ワイヤー、３１は第２出力側ワイヤー、５０はジョイントピースである。
【００１３】
図２（イ）に示すように、制動・解除操作装置１００は、１の操作部１０と第１被操作部２０、第２被操作部３０の間に配置された分岐盤４０から構成されている。第１被操作部２０における第１出力側ワイヤー２１のアウター端部２１ａは、分岐盤４０の枠体４１に固定され、第２被操作部３０における第２出力側ワイヤー３１のアウター端部３１ａは、分岐盤４０の枠体４１に固定されると共に、操作部１０である入力側ワイヤー１１のアウター端部１１ａは、分岐盤４０における枠体４１内を摺動可能としたジョイントピース５０に固定又は当接され、かつ第１出力側ワイヤー２１のインナー２２は、ジョイントピース５０で入力側ワイヤー１１のアウター１３と連動可能に係止されており、入力側ワイヤー１１のインナー１２は第２出力側ワイヤー３１とで共有された構成となっている。
【００１４】
次に、図２（ロ）及び（ハ）を参照にして、操作部１０と第１被操作部２０及び第２被操作部３０の動作を説明する。図２（イ）における操作部１０が図２（ロ）に示すＰ１まで牽引されると、入力側ワイヤー１１のアウター端部１１ａは、ジョイントピース５０内で固定又は当接しているので反力作用により、アウター端部１１ａ以降のインナー１２が動作することなくジョイントピース５０が、図２（ロ）に図示するＰ２まで移動すると共に、第１被操作部２０は、同図におけるＰ３に移動する。この動作により、第１被操作部２０に取り付けられた、例えば、図１に示すキャスターＣ１及びＣ２の制動又は解除がなされる。続いて図２（ハ）に示すように、操作部１０がＰ１からＰ４まで牽引されると、ジョイントピース５０は、第１被操作部２０がＰ３に移動が完了しているため、入力側ワイヤー１１のアウター端部１１ａに発生する反力により移動しない。その結果、第２出力側ワイヤー３１の第２被操作部３０が、インナー１２及び３２を通じてＰ５に移動する。この動作により、第２被操作部３０に取り付けられた、例えば、図１に示すキャスターＣ３及びＣ４の制動又は解除がなされる。
【００１５】
上述のように、本願発明の制動・解除操作装置１００は、ジョイントピース５０を摺動可能に装着した分岐盤４０と入力側ワイヤー１１、第１出力側ワイヤー２１及び第２出力側ワイヤー３１を主な構成部材とするシンプルな特徴的な構成であり、操作部１０によるＰ１からＰ４まで一連の動作により第１被操作部２０及び第２被操作部３０は、ほぼ同時に制動又は解除操作が円滑に行うことができる。また分岐盤４０の装着位置や操作部１０の取付位置も何ら機体の外観上の美観を損なうものではない。
【００１６】
以上、本願発明の制動・解除操作装置に関する、好適な実施形態について説明したが、本願発明は、上記実施形態に記載した構成に限定されるものではなく、
その趣旨を逸脱しない範囲において適宜その構成を変更することができるものである。
【産業上の利用可能性】
【００１７】
本願発明の制動・解除操作装置は、キャスター等の回転体を用いる移動家具家具類や運搬用台車の制動・解除操作はもちろん、他の複数の制動部材との組み合わせによる装置にも幅広く応用できる汎用性ある有効な発明である。
【符号の説明】
【００１８】
T・・・テーブル
１００・・・制動・解除操作装置
１０・・・操作部
１１・・・入力側ワイヤー
１１ａ・・・アウター端部
１２・・・インナー
１３・・・アウター
２０・・・第１被操作部
２１・・・第１出力側ワイヤー  
２１ａ・・・アウター端部
３０・・・第２被操作部
３１・・・第２出力側ワイヤー
３１ａ・・・アウター端部
３２・・・インナー
４０・・・分岐盤
４１・・・枠体
５０・・・ジョイントピース
【図１】
2014077462.tif 000003
【図２】
2014077462.tif 000004
【手続補正書】
【提出日】平成24年11月13日(2012.11.13)
【手続補正１】
【補正対象書類名】図面
【補正対象項目名】図２
【補正方法】変更
【補正の内容】
【図２】
2014077462.tif 000005